(57)【要約】【課題】ユーザが引出部の内部から案内部の操作が行えない場合と比較して、案内部の位置を変更する作業を行うための空間を削減する。【解決手段】記録材に画像を形成する装置本体と、装置本体から引き出し可能に設けられるとともに、記録材を搭載する搭載領域を有する引出部と、引出部に設けられ、搭載領域に搭載される記録材の位置を案内する案内部とを有し、案内部は、記録材の端部を案内する案内面と、引出部に掛かり引出部に対する位置を定める掛かり部と、案内面側からユーザが操作することにより掛かり部の引出部に対する掛かりを解除する解除部とを有する画像形成装置。【選択図】図５
2020026350.tif 000002
【特許請求の範囲】
【請求項１】
記録材に画像を形成する装置本体と、
前記装置本体から引き出し可能に設けられるとともに、記録材を搭載する搭載領域を有する引出部と、
前記引出部に設けられ、前記搭載領域に搭載される記録材の位置を案内する案内部と
を有し、
前記案内部は、
記録材の端部を案内する案内面と、
前記引出部に掛かり当該引出部に対する位置を定める掛かり部と、
前記案内面側からユーザが操作することにより前記掛かり部の前記引出部に対する掛かりを解除する解除部と
を有する
画像形成装置。
【請求項２】
前記案内部は、前記引出部を引き出す引出方向における前記搭載領域よりも上流側に設けられ、
前記解除部は、前記引出方向における前記案内面よりも上流側に設けられる
ことを特徴とする請求項１記載の画像形成装置。
【請求項３】
前記案内面は、切り欠きを有し、
前記解除部は、前記引出方向における前記案内面よりも上流側で前記切り欠きに対峙して設けられる
ことを特徴とする請求項２記載の画像形成装置。
【請求項４】
前記切り欠きは、前記案内面に形成された貫通孔である
ことを特徴とする請求項３記載の画像形成装置。
【請求項５】
前記案内部は、前記引出部によって支持される下面と、当該下面に設けられた凹部を有し、
前記引出部は、前記案内部の前記下面を支持する支持面に設けられ、前記凹部に進入するとともに前記搭載領域に搭載される記録材を支持する凸部を有し、
前記案内部の前記下面は、前記凸部に支持される記録材よりも上下方向下側に位置する
ことを特徴とする請求項１記載の画像形成装置。
【請求項６】
前記掛かり部は、前記引出部に掛かり当該引出部に対する前記案内部の上下方向の移動を制限する
ことを特徴とする請求項５記載の画像形成装置。
【請求項７】
前記掛かり部は、
前記掛かり部を付勢する付勢部と、
前記掛かり部の下側端部に設けられ、上下方向上側に進むに従い前記付勢部によって付勢される向きに進む傾斜部と
を有する
ことを特徴とする請求項６記載の画像形成装置。
【請求項８】
前記案内部は、前記案内面よりもユーザから遠い位置に設けられ、当該案内部が設置されている位置を示す表記が上面に形成された位置表記体を有し、
前記上面は、前記案内面の上端よりも上下方向下側に位置する
ことを特徴とする請求項１乃至７のいずれか１項記載の画像形成装置。
【請求項９】
前記案内部に貼り付けられるシート部材と、
前記案内面に沿って設けられ前記シート部材が貼り付けられるとともに、当該シート部材を前記搭載領域に搭載された記録材から離間する位置に保持する貼付部と
を有する
ことを特徴とする請求項１乃至８いずれか１項記載の画像形成装置。
【請求項１０】
記録材に画像を形成する装置本体と、
前記装置本体から引き出し可能に設けられるとともに、記録材を搭載する搭載領域を有する引出部と、
前記引出部に設けられ、前記搭載領域に搭載される記録材の位置を案内する案内部と
を有し、
前記案内部は、
前記引出部に掛かり当該引出部に対する位置を定める掛かり部と、
前記案内部を掴むユーザの指によって押圧される位置に設けられ、ユーザによって押圧されることにともない前記掛かり部の前記引出部に対する掛かりを解除する解除部と
を有する
画像形成装置。
【請求項１１】
記録材に画像を形成する装置本体から引き出し可能に設けられるとともに、記録材を搭載する搭載領域を有する引出部と、
前記引出部に設けられ、前記搭載領域に搭載される記録材の位置を案内する案内部と
を有し、
前記案内部は、
記録材の端部を案内する案内面と、
前記引出部に掛かり当該引出部に対する位置を定める掛かり部と、
前記案内面側からユーザが操作することにより前記掛かり部の前記引出部に対する掛かりを解除する解除部と
を有する
記録材搭載装置。
【発明の詳細な説明】
【技術分野】
【０００１】
本発明は、画像形成装置および記録材搭載装置に関する。
【背景技術】
【０００２】
特許文献１には、積載された用紙の前端側の側端に当接し、用紙の幅方向の位置を規制する一対のサイドフェンスと、用紙の後端側の側端に当接し、用紙の幅方向の位置を規制する一対の第二規制部材とを有し、サイドフェンスは、積載される用紙の幅に応じてその幅方向に移動可能に設けられ、第二規制部材が着脱可能に設けられ、複数の装着位置を有することを特徴とする給紙トレイが開示されている。
【先行技術文献】
【特許文献】
【０００３】
【特許文献１】特開２０１７−１５４８６４号公報
【発明の概要】
【発明が解決しようとする課題】
【０００４】
ところで、装置本体から引き出して記録材を搭載する引出部に、記録材を搭載する位置を案内する案内部を設けることがある。そして、例えば搭載する記録材のサイズを切り替える場合などにおいては、ユーザが案内部の位置を変更する作業が必要となる。ここで、ユーザが引出部の内部から案内部の操作が行えない場合、案内部の位置を変更する作業を行うための空間を大きく取ることが必要となる。
【０００５】
そこで、本発明では、ユーザが引出部の内部から案内部の操作が行えない場合と比較して、案内部の位置を変更する作業を行うための空間を削減することを目的とする。
【課題を解決するための手段】
【０００６】
請求項１に記載の発明は、記録材に画像を形成する装置本体と、前記装置本体から引き出し可能に設けられるとともに、記録材を搭載する搭載領域を有する引出部と、前記引出部に設けられ、前記搭載領域に搭載される記録材の位置を案内する案内部とを有し、前記案内部は、記録材の端部を案内する案内面と、前記引出部に掛かり当該引出部に対する位置を定める掛かり部と、前記案内面側からユーザが操作することにより前記掛かり部の前記引出部に対する掛かりを解除する解除部とを有する画像形成装置である。
請求項２に記載の発明は、前記案内部は、前記引出部を引き出す引出方向における前記搭載領域よりも上流側に設けられ、前記解除部は、前記引出方向における前記案内面よりも上流側に設けられることを特徴とする請求項１記載の画像形成装置である。
請求項３に記載の発明は、前記案内面は、切り欠きを有し、前記解除部は、前記引出方向における前記案内面よりも上流側で前記切り欠きに対峙して設けられることを特徴とする請求項２記載の画像形成装置である。
請求項４に記載の発明は、前記切り欠きは、前記案内面に形成された貫通孔であることを特徴とする請求項３記載の画像形成装置である。
請求項５に記載の発明は、前記案内部は、前記引出部によって支持される下面と、当該下面に設けられた凹部を有し、前記引出部は、前記案内部の前記下面を支持する支持面に設けられ、前記凹部に進入するとともに前記搭載領域に搭載される記録材を支持する凸部を有し、前記案内部の前記下面は、前記凸部に支持される記録材よりも上下方向下側に位置することを特徴とする請求項１記載の画像形成装置である。
請求項６に記載の発明は、前記掛かり部は、前記引出部に掛かり当該引出部に対する前記案内部の上下方向の移動を制限することを特徴とする請求項５記載の画像形成装置である。
請求項７に記載の発明は、前記掛かり部は、前記掛かり部を付勢する付勢部と、前記掛かり部の下側端部に設けられ、上下方向上側に進むに従い前記付勢部によって付勢される向きに進む傾斜部とを有することを特徴とする請求項６記載の画像形成装置である。
請求項８に記載の発明は、前記案内部は、前記案内面よりもユーザから遠い位置に設けられ、当該案内部が設置されている位置を示す表記が上面に形成された位置表記体を有し、前記上面は、前記案内面の上端よりも上下方向下側に位置することを特徴とする請求項１乃至７のいずれか１項記載の画像形成装置である。
請求項９に記載の発明は、前記案内部に貼り付けられるシート部材と、前記案内面に沿って設けられ前記シート部材が貼り付けられるとともに、当該シート部材を前記搭載領域に搭載された記録材から離間する位置に保持する貼付部とを有することを特徴とする請求項１乃至８いずれか１項記載の画像形成装置である。
【０００７】
請求項１０に記載の発明は、記録材に画像を形成する装置本体と、前記装置本体から引き出し可能に設けられるとともに、記録材を搭載する搭載領域を有する引出部と、前記引出部に設けられ、前記搭載領域に搭載される記録材の位置を案内する案内部とを有し、前記案内部は、前記引出部に掛かり当該引出部に対する位置を定める掛かり部と、前記案内部を掴むユーザの指によって押圧される位置に設けられ、ユーザによって押圧されることにともない前記掛かり部の前記引出部に対する掛かりを解除する解除部とを有する画像形成装置である。
請求項１１に記載の発明は、記録材に画像を形成する装置本体から引き出し可能に設けられるとともに、記録材を搭載する搭載領域を有する引出部と、前記引出部に設けられ、前記搭載領域に搭載される記録材の位置を案内する案内部とを有し、前記案内部は、記録材の端部を案内する案内面と、前記引出部に掛かり当該引出部に対する位置を定める掛かり部と、前記案内面側からユーザが操作することにより前記掛かり部の前記引出部に対する掛かりを解除する解除部とを有する記録材搭載装置である。
【発明の効果】
【０００８】
請求項１の発明によれば、ユーザが引出部の内部から案内部の操作が行えない場合と比較して、案内部の位置を変更する作業を行うための空間を削減することができる。
請求項２の発明によれば、引出方向における案内面よりも上流側に設けられる構成において、ユーザが引出部の内部から案内部の操作が行えない場合と比較して、案内部の位置を変更する作業を行うための空間を削減することができる。
請求項３の発明によれば、引出部全体が引き出されていなくても解除部の操作ができる。
請求項４の発明によれば、切り欠きからユーザの指が外れることが抑制される。
請求項５の発明によれば、記録材が案内部の下側に入り込むことが抑制される。
請求項６の発明によれば、上下方向における案内部の位置がずれ、案内部の下側に記録材が入り込むことが抑制される。
請求項７の発明によれば、上側から案内部を押し込むことにより案内部の固定ができる。
請求項８の発明によれば、位置表記体の上面に形成された表記が見やすくなる。
請求項９の発明によれば、シート部材と記録材とが擦れることが抑制される。
請求項１０の発明によれば、ユーザが引出部の内部から案内部の操作が行えない場合と比較して、案内部の位置を変更する作業を行うための空間を削減することができる。
請求項１１の発明によれば、ユーザが引出部の内部から案内部の操作が行えない場合と比較して、案内部の位置を変更する作業を行うための空間を削減することができる。
【図面の簡単な説明】
【０００９】
【図１】本実施の形態が適用される画像形成装置の構成を示した図である。
【図２】用紙収容部の構成を示した図である。
【図３】用紙収容部における後側抑え部材の周辺構造を示した図である。
【図４】位置決め部の詳細構成を示した図である。
【図５】（ａ）および（ｂ）は後側抑え部材の詳細構成を示した図である。
【図６】用紙搭載面を説明するための図である。
【図７】後側抑え部材の上下方向位置を説明するための図である。
【図８】（ａ）乃至（ｃ）は後側抑え部材を組み付ける動作を説明するための図である。
【図９】（ａ）乃至（ｃ）は後側抑え部材を取り外す動作を説明するための図である。
【図１０】他の実施形態における後端抑え部材を説明するための図である。
【図１１】（ａ）乃至（ｃ）は後端抑え部材の組み付け動作を説明するための図である。
【図１２】（ａ）乃至（ｄ）は後側抑え部材を組み付ける動作を説明するための図である。
【発明を実施するための形態】
【００１０】
以下、添付図面を参照して、本発明の実施の形態について説明する。
＜画像形成装置１＞
図１は、本実施の形態が適用される画像形成装置１の構成を示した図である。
まず、図１を参照しながら、本実施の形態が適用される画像形成装置１の構成について説明をする。
【００１１】
画像形成装置１は、用紙Ｐなどの記録材（シート）に対して画像を形成する。図示の画像形成装置１は、用紙Ｐを収容する用紙収容部１００と、用紙Ｐに画像を形成する画像形成部１３と、画像が形成された用紙Ｐを排出する排出ロール１５と、画像形成装置１の動作を制御する本体制御部１６と、用紙収容部１００や画像形成部１３などが内部に設けられる筺体２０とを有する。なお、用紙収容部１００は、引出部および記録材搭載装置の一例である。また、筺体２０は、装置本体の一例である。
【００１２】
なお、以下の説明においては、図１に示す画像形成装置１における上下方向（鉛直方向）を単に「上下方向」ということがある。また、図１における上下方向における上側を単に「上側」、上下方向における下側を単に「下側」ということがある。また、図１に示す画像形成装置１における紙面の左右方向を、単に「幅方向」ということがある。また、図１における紙面右側を単に「右側」、紙面左側を単に「左側」ということがある。また、図１に示す画像形成装置１における紙面の奥行方向を、単に「奥行方向」ということがある。また、図１における紙面手前側を単に「手前側」、紙面奥側を単に「奥側」ということがある。
【００１３】
用紙収容部１００は、各々サイズや種類の異なる用紙Ｐを収容する。図示の例においては、用紙収容部１００は複数設けられる。用紙収容部１００の各々は、奥行方向手前側に引き出し可能である。また、用紙収容部１００は、ユーザなどにより引き出された状態で用紙Ｐの補充作業がなされる。
【００１４】
画像形成部１３は、用紙収容部１００から搬送されてくる用紙Ｐに画像を形成する。図示の例における画像形成部１３は、感光体に付着させたトナーを用紙Ｐに転写して像を形成する電子写真方式により用紙Ｐに画像を形成する。なお、画像形成部１３が画像を形成する方式は特に限定されるものではなく、インクを用紙Ｐ上に吐出して像を形成するインクジェット方式などにより画像を形成してもよい。
【００１５】
排出ロール１５は、画像形成部１３によって画像が形成された用紙Ｐを排出する。図示の例における排出ロール１５は、ロール対からなり、このロール対が各々回転することにともない、用紙Ｐを画像形成装置１から排出する。
【００１６】
本体制御部１６は、画像形成装置１に設けられる各構成部材の動作を制御する。
筺体２０は、用紙収容部１００、画像形成部１３、排出ロール１５、および本体制御部１６などを内部に収容する。なお、筺体２０の内部に収容される用紙収容部１００は、筺体２０から引き出しおよび筺体２０への押し込み（後述する図２の矢印Ａ１およびＡ２参照）が許容されるように、筺体２０によって支持される。
【００１７】
ここで、画像形成装置１の動作について説明をする。まず、本体制御部１６から指示信号が出力されることにともない、用紙収容部１００から用紙Ｐが１枚ずつ送り出される。そして、画像形成部１３によって用紙Ｐに画像が形成された後、画像が形成された用紙Ｐが排出ロール１５から排出される。
【００１８】
＜用紙収容部１００＞
図２は、用紙収容部１００の構成を示した図である。
次に、図２を参照しながら、用紙収容部１００の構成について説明をする。
なお、図２に示す用紙収容部１００において収容される用紙Ｐは、幅方向における右側から左側に向けて用紙が搬送される。以下の説明においては、幅方向における右側から左側に向かう用紙Ｐの搬送方向を「搬送方向」といい、搬送方向における用紙Ｐの前端を単に「前端」、搬送方向における用紙Ｐの後端を単に「後端」ということがある。
【００１９】
用紙収容部１００は、筺体２０から奥行方向手前側に引き出される（矢印Ａ１参照）。また、筺体２０から引き出された状態の用紙収容部１００は、奥行方向奥側に押し込む（矢印Ａ２参照）ことにより、筺体２０内に挿入される。また、用紙収容部１００は、筺体２０から用紙収容部１００全体を引き出すことなく、筺体２０によって用紙収容部１００の一部を保持させつつ、用紙収容部１００の他の一部を引き出した状態とすることが可能である。なお、用紙収容部１００を奥行方向手前側に引き出す方向（矢印Ａ１参照）は、引出方向の一例である。
【００２０】
用紙収容部１００は、用紙Ｐを収容する収容本体１１０と、筺体２０によって支持されるガイド１３０と、収容本体１１０を引き出す際などにユーザが掴む部分となる把手１５０と、収容本体１１０に収容される用紙Ｐの後端を抑えるスライド抑え部材１７０と、用紙Ｐにおける搬送方向に沿う側面を抑える前側抑え部材１９０および後側抑え部材２００とを有する。なお、後側抑え部材２００は、案内部の一例である。
【００２１】
収容本体１１０は、上側が開放された箱状部材である。収容本体１１０は、用紙Ｐを支持する底部１１１を有する。この底部１１１の少なくとも一部の領域が、用紙Ｐを搭載する搭載領域１１２となる。なお、搭載領域１１２は、スライド抑え部材１７０、前側抑え部材１９０、および後側抑え部材２００によって囲まれる領域である。さらに説明をすると、搭載領域１１２の左側および手前側の端部の位置は固定されており、搭載領域１１２の右側の端部の位置はスライド抑え部材１７０によって定められ、搭載領域１１２の奥側の端部は前側抑え部材１９０および後側抑え部材２００によって定められる。
【００２２】
ガイド１３０は、収容本体１１０の幅方向両端に設けられ、各々奥行方向に延びる部分である。各ガイド１３０は、筺体２０に設けられ奥行方向に沿うレール（不図示）に沿って移動する。さらに説明をすると、各ガイド１３０は、レールに上下方向を挟み込まれた状態で、奥行方向にスライド移動する。
【００２３】
把手１５０は、用紙収容部１００の手前側側面に設けられる。さらに説明をすると、把手１５０は、画像形成装置１の手前側に位置するユーザが操作可能な位置に設けられている。
【００２４】
スライド抑え部材１７０は、収容本体１１０の底部１１１において、幅方向にスライドする。また、スライド抑え部材１７０は、搭載領域１１２の右側、すなわち用紙Ｐの後端に沿って設けられる。このスライド抑え部材１７０は、用紙Ｐの後端に突き当てられる突当面１７１を有する。スライド抑え部材１７０の幅方向の位置は、収容本体１１０に搭載する用紙Ｐのサイズに応じて、ユーザによって調整される。
【００２５】
前側抑え部材１９０は、収容本体１１０の底部１１１において、奥行方向にスライドする。また、前側抑え部材１９０は、搭載領域１１２の奥側であってかつ用紙Ｐの前端側に設けられる。この前側抑え部材１９０は、用紙Ｐの奥側の側面に突き当てられる複数の突当リブ１９１を有する。なお、突当リブ１９１の各々は、上下方向に延びて形成される。前側抑え部材１９０の奥行方向の位置は、収容本体１１０に搭載する用紙Ｐのサイズに応じて、ユーザによって調整される。
【００２６】
後側抑え部材２００は、収容本体１１０の底部１１１において、奥行方向に変位可能に設けられる。後側抑え部材２００は、収容本体１１０に対して着脱可能である。また、詳細は後述するが、後側抑え部材２００は、収容本体１１０の底部１１１おいて奥行方向に並ぶ複数の箇所のうちのいずれかに配置される。また、後側抑え部材２００は、搭載領域１１２の奥側であってかつ用紙Ｐの後端側に設けられる。この後側抑え部材２００は、用紙Ｐの奥側の側面に突き当てられるガイド面２１１を有する。後側抑え部材２００の奥行方向の位置は、収容本体１１０に搭載する用紙Ｐのサイズに応じて、ユーザによって調整される。なお、後側抑え部材２００は、収容本体１１０全体を筺体２０から引き出すことなく、ユーザが視認できる位置に設けられている。
【００２７】
ここで、図示の例においては、前側抑え部材１９０および後側抑え部材２００は、搭載領域１１２の奥側に設けられる一方で、搭載領域１１２の手前側には設けられない。これは、収容本体１１０を筺体２０内に押し込む動作にともない、用紙Ｐの移動を抑制する寄与度が高い位置を優先したことによる。すなわち、前側抑え部材１９０および後側抑え部材２００は、収容本体１１０を筺体２０内に押し込むことにともない、収容本体１１０とともに移動する用紙Ｐが奥側にずれることを抑制する位置に設けられている。
【００２８】
また、収容本体１１０の内部とは、収容本体１１０を筺体２０から引き出すことにより露出する収容本体１１０内の空間である。この収容本体１１０の内部は、収容本体１１０において用紙Ｐを積載する空間として捉えてもよい。別の観点から捉えると、収容本体１１０の内部とは、搭載領域１１２の上側の空間として捉えられる。
【００２９】
＜後側抑え部材２００の位置周辺構造＞
図３は、用紙収容部１００における後側抑え部材２００の周辺構造を示した図である。
次に、図３を参照しながら、用紙収容部１００における後側抑え部材２００の周辺構造について説明をする。
【００３０】
図３に示すように、用紙収容部１００は、搭載領域１１２よりも奥側に、後側抑え部材２００の位置を定める位置決め部１１３を有する。ここで、位置決め部１１３は、底部１１１に設けられる下位置決め部１１４と、底部１１１から上側に突出して設けられる上位置決め部１１５とを有する。詳細は後述するが、下位置決め部１１４および上位置決め部１１５の各々は、奥行方向における複数の箇所のいずれかで後側抑え部材２００を位置決めする。
【００３１】
＜位置決め部１１３＞
図４は、位置決め部１１３の詳細構成を示した図である。
次に、図４を参照しながら、位置決め部１１３の詳細構成について説明をする。以下では、下位置決め部１１４について説明した後に、上位置決め部１１５について説明をする。
【００３２】
図４に示すように、図示の下位置決め部１１４は、底部１１１から下側に向けて凹んだ平坦な領域である。図示の例の下位置決め部１１４は、上側からみて略長方形状であり、長手方向が幅方向に沿う向きに設けられる。下位置決め部１１４は、後側抑え部材２００の構成の一部が各々挿入される第１位置決め部１１７と、第２位置決め部１１９と、第３位置決め部１２１と、レバー用開口１２３とを有する。また、下位置決め部１１４は、用紙Ｐを支持する支持リブ１２５を有する。
【００３３】
第１位置決め部１１７は、奥行き方向に並べられた複数の孔により構成される。図示の例の第１位置決め部１１７は、略円形の貫通孔が、奥行方向に４つ並べて形成されている。
【００３４】
第２位置決め部１１９は、奥行き方向に並べられた複数の長孔により構成される。図示の例の第２位置決め部１１９は、長手方向が幅方向に沿う楕円形状の貫通孔が、奥行方向に４つ並べて形成されている。なお、第２位置決め部１１９は、第２位置決め部１１９内に挿入された後側抑え部材２００の一部分（後述する第２位置決め突起２１９）の幅方向における移動を許容する寸法である。このことにより、例えば後側抑え部材２００に製造上の寸法誤差がある場合でも、後側抑え部材２００の取り付けが不可能となることが抑制される。
【００３５】
第３位置決め部１２１は、奥行き方向に並べられた複数の長孔により構成される。図示の例の第３位置決め部１２１は、長手方向が幅方向に沿う長方形状の貫通孔が、奥行方向に４つ並べて形成されている。なお、第３位置決め部１２１は、挿入された後側抑え部材２００の一部分（後述する第３位置決め突起２２１）の幅方向における移動を許容する寸法である。
【００３６】
レバー用開口１２３は、略長方形状の貫通孔である。図示の例のレバー用開口１２３は、長手方向が奥行き方向に沿うように形成されている。
支持リブ１２５は、下位置決め部１１４に設けられた凸部であり、奥行き方向に連続して延びる。図示の例の支持リブ１２５は、幅方向に複数並べられて設けられる。
【００３７】
なお、図示の例においては、下位置決め部１１４における幅方向両端に、第１位置決め部１１７および第２位置決め部１１９が配置され、第１位置決め部１１７および第２位置決め部１１９の間に、第３位置決め部１２１が配置される。また、第１位置決め部１１７および第３位置決め部１２１の間にレバー用開口１２３が配置される。
【００３８】
また、第１位置決め部１１７、第２位置決め部１１９、および第３位置決め部１２１の各々が有する貫通孔の奥行方向における位置は、揃って配置されている。そして、第１位置決め部１１７、第２位置決め部１１９、および第３位置決め部１２１を構成する貫通孔のうち、奥行方向における位置が揃った貫通孔の組み合わせに対して、後側抑え部材２００を固定することで、後側抑え部材２００の位置決めがなされる。
【００３９】
次に、上位置決め部１１５について説明をする。上位置決め部１１５は、底部１１１に沿う向きの平面である支持面１２７と、支持面１２７に設けられた位置決め突起１２９とを有する。ここで、位置決め突起１２９は、支持面１２７から上側に向けて突出する凸部であり、幅方向に連続して延びて形成されている。さらに説明をすると、位置決め突起１２９は、上側からみて略楕円形状の凸部である。位置決め突起１２９に対して、後側抑え部材２００を固定することにより、後側抑え部材２００の位置決めがなされる。
【００４０】
＜後側抑え部材２００＞
図５（ａ）および（ｂ）は、後側抑え部材２００の詳細構成を示した図である。具体的には、図５（ａ）は後側抑え部材２００の斜視図であり、図５（ｂ）は図５（ａ）における矢印Ｖｂから見た図、すなわち奥行方向における奥側から手前側に向けて後側抑え部材２００を見た図である。
【００４１】
次に、図５（ａ）および（ｂ）を参照しながら、後側抑え部材２００の詳細構成について説明をする。図５（ａ）および（ｂ）に示すように、後側抑え部材２００は、板状部材であるガイド本体２１０と、板状部材であるとともにガイド本体２１０から屈曲する向きに設けられるガイド位置決め部２３０と、ユーザが操作する操作レバー２５０とを有する。
【００４２】
ここで、ガイド本体２１０について説明をする。ガイド本体２１０は、奥行方向手前側を向き用紙Ｐを案内するガイド面２１１と、ガイド面２１１に設けられた貫通穴である第１開口部２１３および第２開口部２１４とを有する。また、ガイド本体２１０は、ガイド本体２１０の上端部であるガイド上端２１５と、ガイド本体２１０の下端部であるガイド下端２１６とを有する。なお、第１開口部２１３および第２開口部２１４は、切り欠きの一例である。また、ガイド下端２１６は、案内部の下面の一例である。また、ガイド面２１１は、案内面の一例である
【００４３】
また、ガイド本体２１０は、ガイド下端２１６から下側に向けて突出する突起である第１位置決め突起２１７、第２位置決め突起２１９、および第３位置決め突起２２１と、ガイド下端２１６から上側に向けて凹む凹部である支持リブ受け部２２３とを有する。また、ガイド本体２１０は、ガイド面２１１よりも奥側に凹んだ面である貼付部２２５と、ガイド本体２１０におけるガイド面２１１と反対側の裏面２１２（図５（ｂ）参照）から奥側に突出して設けられるばねリブ２２６とを有する。
【００４４】
また、ガイド本体２１０は、貼付部２２５に貼り付けられるシール部材２２７と、操作レバー２５０に弾性力を付与するコイルばね２２８と、ボルトなどにより構成され操作レバー２５０の一端（後述する第１端２５１）を回転可能に支持する支持軸２２９とを有する。なお、コイルばね２２８は、付勢部の一例である。また、シール部材２２７は、シート部材の一例である。
【００４５】
ここで、第１開口部２１３および第２開口部２１４は、ガイド面２１１において幅方向に離間して設けられる。図示の例においては、第１開口部２１３および第２開口部２１４によって挟まれる部分が、貼付部２２５である。また、第１開口部２１３および第２開口部２１４は、各々略長方形状であり、各々ユーザの指（例えば、ユーザの第１指および第２指）を挿入可能な寸法で形成されている。なお、例えば第１開口部２１３および第２開口部２１４の上側が開放していないなど、第１開口部２１３および第２開口部２１４の外周がガイド面２１１によって囲われていることにより、ユーザの指が第１開口部２１３および第２開口部２１４から外れることが抑制される。
【００４６】
また、第１位置決め突起２１７、第２位置決め突起２１９、および第３位置決め突起２２１の各々は、下位置決め部１１４に設けられた第１位置決め部１１７、第２位置決め部１１９、および第３位置決め部１２１と対峙する位置に設けられている。また、支持リブ受け部２２３は、位置決め部１１３に設けられた支持リブ１２５と対峙する位置に設けられる。そして、第１位置決め突起２１７、第２位置決め突起２１９、および第３位置決め突起２２１の各々が、第１位置決め部１１７、第２位置決め部１１９、および第３位置決め部１２１の各々に挿入されることにより、ガイド本体２１０が下位置決め部１１４によって位置決めされた状態となる。この位置決めされたガイド本体２１０においては、支持リブ受け部２２３内に支持リブ１２５が配置された状態となる。
【００４７】
また、シール部材２２７は、樹脂フィルムなどにより構成され、表面に後側抑え部材２００の操作方法などの画像が形成される。なお、このシール部材２２７は、ガイド面２１１よりも奥側に配置され、搭載領域１１２に搭載された用紙Ｐから離間する位置に設けられ、用紙Ｐとシール部材２２７とが擦れることが抑制される。
【００４８】
また、コイルばね２２８は、操作レバー２５０とばねリブ２２６との間に圧縮して設けられ、操作レバー２５０に対し、支持軸２２９を中心として一方向（図中矢印Ａ３参照）に回転する向きに力を付与する。さらに説明をすると、コイルばね２２８は、操作レバー２５０を第２開口部２１４側に向けて付勢する。
【００４９】
次に、ガイド位置決め部２３０について説明をする。ガイド位置決め部２３０は、上下方向上側を向き、ガイド面２１１と直交する向きをなす位置決め面２３１と、位置決め面２３１に形成された貫通孔である位置決め孔２３３と、位置決め孔２３３に並べて形成される位置案内表示２３５と、ガイド位置決め部２３０における奥側の端部である奥側端２３７とを有する。なお、ガイド位置決め部２３０は、位置表記体の一例である。また、位置決め面２３１は、上面の一例である。また、位置案内表示２３５は、表記の一例である。
【００５０】
なお詳細は後述するが、ガイド位置決め部２３０の位置決め面２３１は、ガイド本体２１０よりも奥側であって、かつガイド上端２１５よりも下側に位置する（詳細は後述）。また、ガイド本体２１０は、ガイド上端２１５における幅方向中央部であってかつ奥側に、上側からみて略長方形状の切り欠き２１８を有する。そして、幅方向において切り欠き２１８と対応する位置に、ガイド位置決め部２３０が設けられる。
【００５１】
また、位置決め孔２３３は、奥行き方向に並べられた複数の長孔により構成される。図示の例の位置決め孔２３３の各々は、長手方向が幅方向を向く楕円形状の貫通孔である。そして、位置決め孔２３３のいずれかの長孔に位置決め突起１２９が挿入されることにより、ガイド位置決め部２３０が位置決めされた状態となる。
【００５２】
また、位置案内表示２３５は、位置決め孔２３３の長孔各々に対応する位置に、後端抑え部材３００の設置位置を示す文字列などを有する。図示の位置案内表示２３５においては、各長孔に位置決め突起１２９を挿入したときに、搭載領域１１２に搭載すべき用紙Ｐのサイズが表示されている。
【００５３】
次に、操作レバー２５０について説明をする。操作レバー２５０は、略直方体状のレバー本体２５５を有する。このレバー本体２５５は、長手方向が上下方向に沿うように設けられており、上側に位置する第１端２５１と下側に位置する第２端２５３とを有する。また、操作レバー２５０は、レバー本体２５５の第２端２５３に設けられるテーパ部２５７と、テーパ部２５７よりも第１端２５１側に設けられる切り欠き２５９とを有する。なお、操作レバー２５０は、掛かり部の一例である。また、レバー本体２５５は、解除部の一例である。また、テーパ部２５７は、傾斜部の一例である。
【００５４】
ここで、テーパ部２５７は、レバー本体２５５における右側面２５６から突出する向きに形成されている。さらに説明をすると、テーパ部２５７は、レバー本体２５５の長手方向に沿って第２端２５３側から第１端２５１側に進むに従い、幅方向右側に進む向きに傾斜する。なお、このテーパ部２５７は、操作レバー２５０を案内する誘い込み形状として機能する。
【００５５】
また、切り欠き２５９は、レバー本体２５５における右側面２５６から凹む凹部として形成されている。この切り欠き２５９は、内部に底部１１１の支持端１２４（後述する図８（ａ）参照）が配置可能な寸法で形成されている。
【００５６】
ここで、図５（ａ）に示すように、操作レバー２５０は、ガイド本体２１０の貼付部２２５よりも奥側に配置されるとともに、貼付部２２５よりも右側に突出する部分を有する。このことにより、ユーザによって第２開口部２１４内に指が挿入されると、ユーザが操作レバー２５０に触れる位置関係となる。また、操作レバー２５０の少なくとも一部は、第２開口部２１４を通して視認される。
【００５７】
なお、操作レバー２５０は、ガイド本体２１０のガイド面２１１よりも奥側に設けられることにより、搭載領域１１２に搭載された用紙Ｐから離間する。さらに説明をすると、操作レバー２５０がガイド面２１１よりも用紙Ｐ側に飛び出ていないことにより、操作レバー２５０と用紙Ｐとの接触が抑制される。
【００５８】
なお、後側抑え部材２００は、下位置決め部１１４および上位置決め部１１５に対して位置決めされることにより、ガイド本体２１０におけるガイド上端２１５側とガイド下端２１６側とが固定された状態となる。このことにより、ユーザが操作レバー２５０を操作するなどした場合であっても、ガイド本体２１０の位置がずれることが抑制される。さらに説明をすると、ガイド本体２１０の位置がずれることによって、搭載領域１１２に搭載される用紙Ｐの位置がずれることも抑制される。
【００５９】
＜用紙搭載面１１６＞
図６は、用紙搭載面１１６を説明するための図である。
次に、図６を参照しながら、用紙搭載面１１６について説明をする。
【００６０】
図６に示すように、用紙収容部１００の搭載領域１１２（図２参照）に搭載された用紙Ｐは、支持リブ１２５の頂部によって支持される。したがって、支持リブ１２５の頂部を結んで形成される面が、用紙Ｐが積載される仮想の面である用紙搭載面１１６となる。この用紙搭載面１１６は、搭載領域１１２に搭載された用紙Ｐにおける最も下側に位置する用紙Ｐの下側紙面と一致する。
【００６１】
さて、図６に示すように、用紙搭載面１１６はガイド本体２１０のガイド下端２１６よりも上側に位置する。言い替えると、用紙搭載面１１６は、上下方向において、ガイド下端２１６が下位置決め部１１４と接触する部分とは異なる位置となる。
【００６２】
ここで、図示の例とは異なる構成、すなわち、支持リブ１２５を設けることなく、ガイド下端２１６が下位置決め部１１４と接触する部分が、用紙搭載面１１６と一致する構成においては、ガイド本体２１０下側に用紙Ｐが進入することがある。ここで、収容本体１１０を筺体２０内に押し込むことにともない、収容本体１１０とともに移動する用紙Ｐが奥側にずれる向きに力を受けると、ガイド本体２１０のガイド下端２１６の下側に用紙Ｐがより進入しやすくなる。本実施形態においては、上述のように支持リブ１２５を設け、用紙搭載面１１６はガイド本体２１０のガイド下端２１６よりも上側に位置させることで、ガイド下端２１６の下側への用紙Ｐの進入が抑制される。
【００６３】
＜後側抑え部材２００の上下方向位置＞
図７は、後側抑え部材２００の上下方向位置を説明するための図である。なお、図７において積載される用紙Ｐは、用紙収容部１００において最も高く積載された状態であるものとする。
次に、図７を参照しながら、後側抑え部材２００の上下方向の位置関係について説明をする。
【００６４】
図７に示すように、最も高く積載された用紙Ｐの高さは、ガイド本体２１０のガイド上端２１５よりも低い。このことにより、例えば収容本体１１０を筺体２０内に押し込む際に、用紙Ｐがガイド上端２１５を超えて用紙Ｐが飛び出すことが抑制される。
【００６５】
また、ガイド位置決め部２３０の位置決め面２３１は、ガイド本体２１０のガイド上端２１５よりも下側に位置する。このことにより、例えば、ガイド本体２１０のガイド上端２１５と同じ位置に位置決め面２３１が設けられる場合（図中破線参照）と比較して、ユーザが位置決め面２３１を視認しやすくなる。また、例えば、位置決め孔２３３のうち最も奥側に位置する貫通孔やガイド位置決め部２３０の奥側端２３７などをユーザが視認したい場合において、ガイド上端２１５と同じ位置に位置決め面２３１が設けられる場合（図中破線参照）と比較して、収容本体１１０を引き出す量が小さくてよい。このことにより、後側抑え部材２００の位置を変更する作業（例えば、後側抑え部材２００を取り外す作業）を行うための空間が低減される。なお、図示の例においては、ガイド本体２１０のガイド上端２１５に切り欠き２１８が設けられていることにより、切り欠き２１８を設けない場合と比較して、位置決め面２３１の視認性が向上する。
【００６６】
＜組付け動作＞
図８（ａ）乃至（ｃ）は、後側抑え部材２００を組み付ける動作を説明するための図である。なお、図８（ａ）乃至（ｃ）は、奥行き方向における奥側から手前側をみた図である。
次に、図８（ａ）乃至（ｃ）を参照しながら、後端抑え部材２００を組み付ける動作について説明をする。
【００６７】
まず、図８（ａ）に示すように、後端抑え部材２００は、ユーザによって保持され、下位置決め部１１３に合わせ下げていく（図中矢印Ａ５参照）。具体的には、搭載領域１１２に搭載する用紙Ｐのサイズに対応する第１位置決め部１１７、第２位置決め部１１９、および第３位置決め部１２１を構成する貫通孔に、第１位置決め突起２１７、第２位置決め突起２１９、および第３位置決め突起２２１を挿入する。なお、このときユーザが後端抑え部材２００を保持する部分は、特に限定されず、例えば後側抑え部材２００の第１開口部２１３および第２開口部２１４に指を挿入した状態で、貼付部２２５を挟み込むことにより後側抑え部材２００を保持してもよいし、ガイド本体２１０のガイド上端２１５を掴むなど他の部分を保持してもよい。
【００６８】
そして、図８（ｂ）に示すように、操作レバー２５０の第２端２５３がレバー用開口１２３内に進入する際に、テーパ部２５７が支持端１２４に突き当たる。このことにより、操作レバー２５０が支持軸２２９を中心として回転する（矢印Ａ４参照）。すなわち、操作レバー２５０の誘い込み形状であるテーパ部２５７が底部１１１と接触し、操作レバー２５０の第２端２５３が幅方向右側に移動する。
【００６９】
そして、図８（ｃ）に示すように、後端抑え部材２００がさらに下げられることにより、操作レバー２５０のテーパ部２５７が支持端１２４よりも下側となった後、すなわちテーパ部２５７が支持端１２４を抜けた後、コイルばね２２８の弾性力により操作レバー２５０は支持軸２２９を中心として回転し（矢印Ａ３参照）元の位置に戻る。また、後端抑え部材２００がさらに下げられると、操作レバー２５０の切り欠き２５９に支持端１２４が入り込む。このとき、コイルばね２２８が操作レバー２５０を付勢することで、操作レバー２５０の回転運動が制限された状態となる。
【００７０】
また、図８（ｃ）に示す状態においては、仮に後端抑え部材２００が上側に移動する力、すなわち操作レバー２５０が上側に移動する力が付与されたとしても、切り欠き２５９内に支持端１２４が入り込んでいるため、あるいは支持端１２４の下にテーパ部２５７が入り込んでいるため、操作レバー２５０の上側への移動は制限される。また、仮に後端抑え部材２００が幅方向あるいは奥行方向に移動する力が付与されたとしても、第１位置決め部１１７、第２位置決め部１１９、および第３位置決め部１２１の各々に、第１位置決め突起２１７、第２位置決め突起２１９、および第３位置決め突起２２１の各々が挿入されていることにより、後端抑え部材２００の移動は制限される。これらのことにより、後端抑え部材２００が固定（ロック）された状態となる。
【００７１】
なお、図８等から理解できるように、後端抑え部材２００は、組み付けの際に、第１位置決め突起２１７と第２位置決め突起２１９との間に、操作レバー２５０の第２端２５３が位置する構造となっている。このため、例えば、第１位置決め突起２１７と第２位置決め突起２１９とのいずれか一方が、第１位置決め部１１７または第２位置決め部１１９に完全に挿入されないまま組み付けられたり、あるいは、組み付けられた後で、第１位置決め突起２１７と第２位置決め突起２１９とのいずれか一方が、第１位置決め部１１７または第２位置決め部１１９から外れたりすることが、そうでない構造（第１位置決め突起２１７と第２位置決め突起２１９との間に操作レバー２５０の第２端２５３が位置しない構造）と比べて、抑制される。
【００７２】
＜取り外し動作＞
図９（ａ）乃至（ｃ）は、後側抑え部材２００を取り外す動作を説明するための図である。なお、図９（ａ）乃至（ｃ）は、図８（ａ）乃至（ｃ）とは反対の向き、すなわち奥行き方向における手前側から奥側に向けて後側抑え部材２００をみた図である。
次に、図９（ａ）乃至（ｃ）を参照しながら、後側抑え部材２００を取り外す動作について説明をする。
【００７３】
まず、図９（ａ）に示すように、組み付けられた後端抑え部材２００の第１開口部２１３および第２開口部２１４にユーザが指（不図示）を入れる。例えばユーザが、第１開口部２１３および第２開口部２１４の各々に第１指および第２指を入れる。
【００７４】
そして、図９（ｂ）に示すように、ユーザが第１開口部２１３および第２開口部２１４に入れた第１指および第２指で、貼付部２２５を挟み込むことによって後側抑え部材２００が保持される。このとき、第２開口部２１４に入れられた第２指によって操作レバー２５０が押され（図中矢印Ａ６参照）、操作レバー２５０が支持軸２２９を中心として回転する（矢印Ａ４参照）。このことにより、図９（ｂ）においては図示を省略するが、切り欠き２５９内に入り込んでいる支持端１２４が切り欠き２５９外に位置し、支持端１２４の下からテーパ部２５７が出た状態となり、操作レバー２５０の上側への移動が許容される。
【００７５】
そして、図９（ｃ）に示すように、ユーザが第１開口部２１３および第２開口部２１４に第１指および第２指を入れた状態、さらに説明をすると、第２指が操作レバー２５０を押した状態で、後側抑え部材２００が持ち上げられる（図中矢印Ａ７参照）。このことにより、後側抑え部材２００が取り外された状態となる。
【００７６】
このように、図示の例においては、後側抑え部材２００のガイド面２１１側から操作可能な位置に取り外し用の操作部である操作レバー２５０が設けられる。そして、収容本体１１０の奥側に位置する後側抑え部材２００を取り外す際に、後側抑え部材２００全体を筺体２０から取り出さなくとも、後側抑え部材２００の位置が変更される。
【００７７】
また、図示の例においては、後側抑え部材２００を掴む動作にともない操作レバー２５０が操作される、すなわち後側抑え部材２００を掴む動作と同じ方向に摘むことで後側抑え部材２００のロック解除がなされる。さらに説明をすると、ユーザが第１開口部２１３および第２開口部２１４に第１指および第２指を入れ後側抑え部材２００を掴む動作と、後側抑え部材２００を上側に引き上げる動作との２つの動作により、後側抑え部材２００の固定が解除される。なお、後側抑え部材２００を組み付ける場合には、ユーザが後側抑え部材２００のいずれの部分を持ってもよい。
【００７８】
＜他の実施形態＞
＜後端抑え部材３００＞
図１０は、他の実施形態における後端抑え部材３００を説明するための図である。
図１１（ａ）乃至（ｃ）は、後端抑え部材３００の組み付け動作を説明するための図である。
次に、図１０、および図１１（ａ）乃至（ｃ）を参照しながら、他の実施形態における後端抑え部材３００について説明をする。なお、以下の説明においては、上記の実施形態と同一の構成については同一の符号を付して説明を省略することがある。
【００７９】
上記の説明においては、後端抑え部材２００が操作レバー２５０を有することを説明したが、用紙Ｐを案内するガイド面２１１側から操作可能な位置に、ロックを解除するための操作部を設ける構成であれば特に限定されない。
【００８０】
例えば、図１０に示す後端抑え部材３００のように構成してもよい。後端抑え部材３００は、板状部材であるガイド本体３１０と、板状部材であるとともにガイド本体３１０から屈曲する向きに設けられるガイド位置決め部３３０と、ユーザが操作する固定部材３５０とを有する。
【００８１】
ガイド本体３１０は、奥行方向手前側を向き用紙Ｐを案内するガイド面３１１と、ガイド面３１１に設けられた切り欠き３１３と、ガイド本体３１０の下端部であるガイド下端３１６とを有する。また、ガイド本体３１０は、ガイド下端３１６から下側に向けて突出する突起である第１位置決め突起３１７および第２位置決め突起３１９を有する。さらに、ガイド本体３１０は、ガイド面３１１の右側に設けられ固定部材３５０を回転可能に支持する支持部３２０を有する。
【００８２】
また、ガイド位置決め部３３０は、ガイド面３１１と直交する向きをなす位置決め面３３１と、位置決め面３３１に形成された貫通孔である位置決め孔３３３とを有する。ここで、上記後端抑え部材２００においては、位置決め孔２３３（図５（ａ）参照）として、用紙Ｐのサイズごとに１つずつの貫通孔が設けられていることを説明した。一方で、後端抑え部材３００においては、図１０において第１位置決め孔３３３Ａ乃至第４位置決め孔３３３Ｄとして示すように、用紙Ｐのサイズごとに複数、具体的には２つの貫通孔が設けられている。さらに説明をすると、２つの貫通孔のうち、１つは略円形の貫通孔であり、他の１つは長手方向が幅方向に沿う楕円形状の貫通孔である。また、第１位置決め孔３３３Ａ乃至第４位置決め孔３３３Ｄは、用紙サイズに応じて、奥行き方向および幅方向における貫通孔の位置が異なる。具体的には、最も奥側に位置する第１位置決め孔３３３Ａは、第２位置決め孔３３３Ｂ乃至第４位置決め孔３３３Ｄよりも幅方向右側に設けられている。
【００８３】
また、固定部材３５０は、回転軸３５１と、回転軸３５１の一端３５１Ａに設けられる爪部材３５５と、回転軸３５１の他端３５１Ｂに設けられる平板状の操作部３５３と、回転軸３５１の外周に巻き付けて設けられるねじりばね３６０（後述する図１２（ａ）参照）と、回転軸３５１に設けられねじりばね３６０の一端を支持する支持部材３５９（図１２（ａ）参照）とを有する。
【００８４】
固定部材３５０は、支持部３２０によって支持される回転軸３５１を中心として回転する（図中矢印Ａ１０およびＡ１１参照）。そして、固定部材３５０の回転角度が変化することにより、後端抑え部材３００が用紙収容部１００に固定された状態と、固定が解除された状態とが切り替わる。さらに説明をすると、図１０、図１１（ｂ）、および図１１（ｃ）に示す固定部材３５０は、用紙収容部１００に固定された状態となる角度であり、図１１（ａ）に示す固定部材３５０は、用紙収容部１００への固定が解除された状態となる角度である。また、図１１（ｂ）に示す固定部材３５０を図中矢印Ａ１０の向きに回転させることにより、図１１（ａ）に示すような用紙収容部１００への固定が解除された状態となる。
【００８５】
ここで、図１０に示すように、爪部材３５５は、回転軸３５１の外周面から突出して設けられる。また、後述する図１２に示すように、爪部材３５５は、爪部材３５５の先端にテーパ部３５７を有する。このテーパ部３５７は、回転軸３５１の一端３５１Ａ側から他端３５１Ｂ（図１０参照）側に進むに従い、固定部材３５０の回転方向における図中矢印Ａ１１に沿って進む向きに傾斜する。
【００８６】
＜位置決め部４１３＞
図１１（ａ）に示すように、収容本体１１０は、搭載領域１１２よりも奥側に、後側抑え部材２００の位置を定める位置決め部４１３を有する。この位置決め部４１３は、底部１１１に設けられる下位置決め部４１４と、底部１１１から上側に突出して設けられる上位置決め部４１５とを有する。
【００８７】
下位置決め部４１４は、第１位置決め突起３１７および第２位置決め突起３１９を挿入する貫通孔（不図示）を有する。この貫通孔は、用紙Ｐのサイズごとに複数組設けられている。また、下位置決め部４１４は、爪部材３５５が挿入される開口４２３（図１２（ａ）参照）が形成される。なお、開口４２３には、爪部材３５５が挿入される際に爪部材３５５のテーパ部３５７が突き当てられる突当部４２６が形成される。なお、突当部４２６は、下側に進むに従い、奥行方向手前側に進む向きに傾斜するテーパ面４２６Ａを有する。
【００８８】
上位置決め部４１５は、底部１１１に沿う向きの平面である支持面４２７と、支持面４２７に設けられた位置決め突起４２９とを有する。位置決め突起４２９は、支持面４２７から上側に向けて突出する凸部であり、幅方向に複数、具体的には２つ並べて形成されている。位置決め突起４２９に対して、後側抑え部材３００の位置決め孔３３３を固定することにより、後側抑え部材３００の位置決めがなされる。
【００８９】
＜固定部材３５０の回転＞
さて、図１１（ａ）および（ｂ）に示すように、位置決め部４１３に対して位置決めがなされた後端抑え部材３００においては、ユーザが固定部材３５０を回転させることにより、後端抑え部材３００が収容本体１１０に固定された状態と、固定が解除された状態とが切り替わる。また、固定部材３５０は、ねじりばね３６０（図１２（ａ）参照）により一方向に回転する向き（図中矢印Ａ１１）に付勢される。
【００９０】
そして、図１１（ａ）に示すように、固定部材３５０の操作部３５３をユーザが操作し、操作部３５３がガイド面３１１よりも手前側に配置されると、用紙収容部１００への固定が解除された状態となる。なお、このとき固定部材３５０の爪部材３５５は、底部４１１と噛み合っておらず、開口４２３内において上下方向での移動が許容される。
【００９１】
一方で、図１１（ｂ）に示すように、固定部材３５０の操作部３５３をユーザが保持していないと、ねじりばね３６０の弾性力により、操作部３５３はガイド面３１１よりも奥側に配置される。この配置においては、後端抑え部材３００は、用紙収容部１００に固定された状態である。なお、このとき固定部材３５０の爪部材３５５は、開口４２３内において底部４１１と噛み合う状態となり、上下方向における移動が制限される。
【００９２】
＜後端抑え部材３００の位置＞
次に、後端抑え部材３００が固定される位置について説明をする。図示の後端抑え部材３００は、用紙Ｐのサイズに応じて、奥行き方向だけでなく幅方向における位置が変更される。具体的には、図１１（ｂ）に示すようにサイズが最も小さな用紙Ｐが搭載領域１１２に搭載される場合には、ガイド位置決め部３３０において最も奥側に位置する第１位置決め孔３３３Ａに位置決め突起４２９が挿入される。一方、図１１（ｃ）に示すようにサイズが最も大きな用紙Ｐが搭載領域１１２に搭載される場合には、ガイド位置決め部３３０において最も手前側に位置する第４位置決め孔３３３Ｄに位置決め突起４２９が挿入される。そして、上述のように第１位置決め孔３３３Ａは、第４位置決め孔３３３Ｄよりも幅方向右側に設けられている。このことにより、図１１（ｂ）に示す後端抑え部材３００の位置は、図１１（ｃ）と比較して、奥行方向において手前側かつ左側の位置となる。
【００９３】
＜組付け動作＞
図１２（ａ）乃至（ｄ）は、後側抑え部材３００を組み付ける動作を説明するための図である。
次に、図１２（ａ）乃至（ｄ）を参照しながら、後端抑え部材３００を組み付ける動作について説明をする。
【００９４】
まず、図１２（ａ）に示すように、後端抑え部材３００は、ユーザによって保持され、位置決め部４１３に合わせ下げていく（図中矢印Ａ１２参照）。このとき、下位置決め部４１４の貫通孔（不図示）に、ガイド本体３１０の第１位置決め突起３１７および第２位置決め突起３１９が挿入される。
【００９５】
そして、図１２（ｂ）に示すように、回転軸３５１の一端３５１Ａが開口４２３内に進入する際に、爪部材３５５に設けられたテーパ部３５７が、突当部４２６に突き当たる。
そして、１２（ｃ）に示すように、後端抑え部材３００がさらに下げられる（図中矢印Ａ１２参照）ことにより、テーパ部３５７が突当部４２６によって押圧され、固定部材３５０が回転軸３５１を中心として回転する（図中矢印Ａ１０参照）。
【００９６】
そして、図１２（ｄ）に示すように、テーパ部３５７が突当部４２６よりも下側となった後、すなわちテーパ部３５７が突当部４２６を抜けた後、ねじりばね３６０の弾性力により固定部材３５０が回転軸３５１を中心として回転し（矢印Ａ１１参照）元の位置に戻る。さらに説明をすると、爪部材３５５が突当部４２６の下側に入り込む。
【００９７】
ここで、図１２（ｄ）に示す状態においては、仮に後端抑え部材３００が上側に移動する力が付与されたとしても、爪部材３５５が突当部４２６の下側に入り込んでいるため、後端抑え部材３００の上側への移動は制限される。また、仮に後端抑え部材３００が幅方向あるいは奥行方向に移動する力が付与されたとしても、下位置決め部４１４の貫通孔（不図示）に、ガイド本体３１０の第１位置決め突起３１７および第２位置決め突起３１９が挿入されていることにより、後端抑え部材３００の移動は制限される。これらのことにより、後端抑え部材３００が固定（ロック）された状態となる。
【００９８】
なお、詳細な説明は省略するが、後端抑え部材３００を取り外す際には、図１２（ｄ）に示す状態から、固定部材３５０の操作部３５３をユーザが操作し、固定部材３５０を回転させる（図１０の矢印Ａ１０参照）ことで、図１２（ｃ）に示す状態となる。この状態において、後端抑え部材３００を上側に移動させると、後端抑え部材３００が取り外された状態となる（図１２（ａ）参照）。
【００９９】
＜変形例＞
さて、上記の説明においては、後側抑え部材２００および後端抑え部材３００を、搭載領域１１２の奥側に設けることを説明したが、収容本体１１０全体を筺体２０から引き出すことなく、ユーザが取り付け位置を変更できる位置に後側抑え部材２００および後端抑え部材３００が設けられれば、特に限定されない。例えば、後側抑え部材２００および後端抑え部材３００を、搭載領域１１２の手前側、前端側、あるいは後端側に設けてもよい。また、複数の後側抑え部材２００および後端抑え部材３００を、搭載領域１１２の奥側、手前側、前端側、および後端側などに設けてもよい。
【０１００】
また、上記の説明においては、支持リブ１２５が奥行き方向に連続して延びることを説明したが、これに限定されない。支持リブ１２５は、他の向きに延びてもよいし、各々が離間した複数の突起により構成されてもよい。
【０１０１】
また、上記の説明においては、操作レバー２５０が下位置決め部１１４のレバー用開口１２３に掛けること、すなわち操作レバー２５０を底部１１１に対して固定させることを説明したが、これに限定されない。収容本体１１０に操作レバー２５０を固定することができれば、操作レバー２５０を掛ける位置は収容本体１１０の側面など他の部分であってもよい。また、収容本体１１０に設けられた他の部材に操作レバー２５０を掛けることにより、操作レバー２５０を固定してもよい。
【０１０２】
なお、上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【符号の説明】
【０１０３】
１…画像形成装置、２０…筺体、１００…用紙収容部、２００…後側抑え部材、３００…後側抑え部材、２１３…第１開口部、２１４…第２開口部、２５０…操作レバー
【図１】
2020026350.tif 000003
【図２】
2020026350.tif 000004
【図３】
2020026350.tif 000005
【図４】
2020026350.tif 000006
【図５】
2020026350.tif 000007
【図６】
2020026350.tif 000008
【図７】
2020026350.tif 000009
【図８】
2020026350.tif 000010
【図９】
2020026350.tif 000011
【図１０】
2020026350.tif 000012
【図１１】
2020026350.tif 000013
【図１２】
2020026350.tif 000014